(57)【要約】【課題】  電源を供給する回路では消費電流が増加してしまう場合があった。【解決手段】  半導体装置は、外部電源電圧から第1の所定電圧を生成し、内部回路が通常動作の場合には活性化され、前記内部回路が待機動作の場合には非活性化される第1のレギュレータと、前記外部電源電圧から第２の所定電圧を生成する第2のレギュレータと、動作状態に基づいて前記第1の所定電圧あるいは前記第２の所定電圧に基づいて動作する前記内部回路とを有する。【選択図】図１
2008015719.tif 000002
【特許請求の範囲】
【請求項１】
外部電源電圧から第1の所定電圧を生成し、内部回路が通常動作の場合には活性化され、前記内部回路が待機動作の場合には非活性化される第1のレギュレータと、
前記外部電源電圧から第２の所定電圧を生成する第2のレギュレータと、
動作状態に基づいて前記第1の所定電圧あるいは前記第２の所定電圧に基づいて動作する前記内部回路とを有する半導体装置。
【請求項２】
前記第2のレギュレータは、内部回路が通常動作の場合には非活性化され、前記内部回路が待機動作の場合には活性化されることを特徴とする請求項１記載の半導体装置。
【請求項３】
前記第1の所定電圧は、前記第2の所定電圧よりも高い電圧であることを特徴とする請求項１あるいは２に記載の半導体装置。
【請求項４】
前記内部回路は、当該内部回路の動作状態に基づいた信号を出力することを特徴とする請求項１乃至３のいずれか１項に記載の半導体装置。
【請求項５】
前記第1のレギュレータは、前記内部回路の出力する信号に基づいて、活性化、非活性化が制御されることを特徴とする請求項４記載の半導体装置。
【請求項６】
前記第２のレギュレータは、前記内部回路の出力する信号に基づいて、活性化、非活性化が制御されることを特徴とする請求項５記載の半導体装置。
【請求項７】
前記、半導体回路は、さらに、
前記第1のレギュレータの活性化、非活性化を制御するスイッチ素子を有することを特徴とする請求項１乃至５のいずれか１項に記載の半導体装置。
【請求項８】
前記スイッチ素子は、前記内部回路の出力する信号に基づいて導通状態が制御されることを特徴とする請求項７に記載の半導体装置。
【請求項９】
第1のレギュレータによって、外部電源電圧から第1の所定電圧を生成して当該第1の所定電圧を内部回路に供給し、
第２のレギュレータによって、前記外部電源電圧から第２の所定電圧を生成して当該第２の所定電圧を前記内部回路に供給し、
前記内部回路が通常動作の場合には前記第1のレギュレータを活性化させ、前記内部回路が待機動作の場合には前記第1のレギュレータを非活性化させる半導体装置の動作制御方法。
【請求項１０】
前記第1のレギュレータの活性化、非活性化を制御する信号は、前記第1のレギュレータ、第2のレギュレータ及び内部回路を有する半導体装置外部より入力することを特徴とする請求項９記載の半導体装置の動作制御方法。
【発明の詳細な説明】
【技術分野】
【０００１】
本発明は、半導体装置に関し、特にレギュレータを有する半導体装置およびその動作制御方法に関する。
【背景技術】
【０００２】
従来から、外部電源から内部回路に供給する電圧を生成するための電源回路が用いられている。このような電源回路としては一般的にレギュレータが使用されている。例えば、マイクロコントローラ（以下、マイコンと省略する）などに使用されるレギュレータでは、ＣＰＵなどに動作用の電源を供給し、また、内部回路の消費電流の変動に応じるために電流供給能力を大きくする必要がある。しかし、マイコンなどでは常にＣＰＵなどが動作しているわけではなく、レギュレータの電流供給能力に余裕を持たせるとレギュレータ自体の消費電流が増加してしまう。
【０００３】
一方、内部回路に電源を供給する回路としては、特許文献１に記載の回路が知られている。特許文献１に記載の回路では低飽和レギュレータ及びＤＣ／ＤＣコンバータを入出力電圧差に応じて切り替えて使用し、安定した出力電圧を生成している。特許文献１に記載の電源回路では出力電圧を安定させるためにレギュレータとＤＣ／ＤＣコンバータは常に動作し続ける状態となり、消費電流は増加してしまう。
【特許文献１】特開２００３−８４８４２
【発明の開示】
【発明が解決しようとする課題】
【０００４】
上記したようにマイコンなどに電源を供給する回路では消費電流が増加してしまう場合があった。
【課題を解決するための手段】
【０００５】
本発明の1態様によれば、半導体装置は、外部電源電圧から第1の所定電圧を生成し、内部回路が通常動作の場合には活性化され、前記内部回路が待機動作の場合には非活性化される第1のレギュレータと、前記外部電源電圧から第２の所定電圧を生成する第2のレギュレータと、動作状態に基づいて前記第1の所定電圧あるいは前記第２の所定電圧に基づいて動作する前記内部回路とを有する。
【０００６】
本発明の他の態様によれば、半導体装置の動作制御方法は、第1のレギュレータによって、外部電源電圧から第1の所定電圧を生成して当該第1の所定電圧を内部回路に供給し、第２のレギュレータによって、前記外部電源電圧から第２の所定電圧を生成して当該第２の所定電圧を前記内部回路に供給し、前記内部回路が通常動作の場合には前記第1のレギュレータを活性化させ、前記内部回路が待機動作の場合には前記第1のレギュレータを非活性化させる。
【発明の効果】
【０００７】
電源の変動に応じてレギュレータ部をオフ状態とすることが可能となる。
【発明を実施するための最良の形態】
【０００８】
以下、図面を参照して本発明の実施の形態について説明する。図１は、本実施の形態１の電源回路を有するマイコン１及びそのマイコン１を含むシステムを示すブロック図である。本実施の形態のシステムは、マイコン１、外部電源２、外部回路３、容量素子４、スイッチＳＷ１を有している。マイコン１は、例えば自動車のエンジン制御などに用いられるコントローラであり、その内部にＣＰＵやメモリなどを有している。本実施の形態ではこのマイコン1は、1つのパッケージなどに収容された半導体装置である。外部電源２はシステム全体の電源である。外部回路３は、本実施の形態のマイコン１及びその他の機器と接続された回路であり、必要に応じて本実施の形態のマイコン１に制御信号を入力する回路である。容量素子４は、マイコン１内部のレギュレータが出力する電圧を安定化させるための容量素子である。スイッチＳＷ１は、外部回路３の出力する制御信号によってマイコン１内部の所定のレギュレータ（第１のレギュレータ）に対する電源電圧の供給を制御するスイッチである。例えば自動車のエンジン制御などを行うマイコンに関するシステムであれば、図１の外部回路３からマイコン１に対する制御信号は、車のイグニションキーなどによるエンジン始動信号などとすることが可能である。マイコン１内部のレギュレータについては後述する。
【０００９】
以下、本実施の形態のシステムにおけるマイコン１について説明する。マイコン１は、第１のレギュレータ１１、第２のレギュレータ１２、内部回路１３、レベルシフタ１４、入出力バッファ１５を有している。
【００１０】
第１、第２のレギュレータ１１、１２は外部電源２から供給された電源電圧ＶＤＤから内部回路１３が動作するための内部電源電圧を生成する電源回路である。第１のレギュレータ１１は、内部回路が通常動作する際の第１の所定電圧を生成し、出力する。第２のレギュレータ１２は、内部回路が待機状態（スタンバイ状態）となるときの第２の所定電圧を生成し出力する。
【００１１】
第１のレギュレータ１１には、外部電源２より、スイッチＳＷ１、第１の電源端子ＶＤＤ１を介して外部電源電圧ＶＤＤが供給されている。第１のレギュレータ１１の出力する第１の所定電圧は、内部回路１３、レベルシフタ１４に供給されている。なお、第１のレギュレータ１１が第１の所定電圧を出力するノードＱは、容量接続端子ＲＥＧＣを介して、外部の容量素子４に接続されている。また、本実施の形態の第１のレギュレータ１１には、第１のレギュレータ１１のオン・オフを制御するためのイネーブル端子ＥＮが設けられており、このイネーブル端子には内部回路１３の出力するスタンバイ信号を反転させた／ＳＴＢが入力されている。
【００１２】
第２のレギュレータ１２には、外部電源より、第２の電源端子ＶＤＤ２を介して外部電源電圧ＶＤＤが供給されている。レギュレータ１２の出力する第２の所定電圧は、内部回路１３、レベルシフタ１４に供給されている。なお、レギュレータ１２が第２の所定電圧を出力するノードは、第１のレギュレータ１１が第１の所定電圧を出力するノードＱと同一ノードである。したがって第２のレギュレータの出力端子も外部の容量素子4に接続されている。また、本実施の形態の第２のレギュレータ１２には、第２のレギュレータ１２のオン・オフを制御するためのイネーブル端子ＥＮが設けられており、このイネーブル端子には内部回路１３の出力するスタンバイ信号ＳＴＢが入力されている。
【００１３】
内部回路１３は、その内部に不図示のＣＰＵやメモリ及びスタンバイ制御回路１３１を有する回路である。内部回路１３は、第１のレギュレータ１１あるいは第２のレギュレータの出力する電圧によって動作する。また、内部回路１３は、外部回路３から割り込み端子ＳＴを介して入力される制御信号に基づいてスタンバイモードに移行し、スタンバイモード移行時に第１、第２のレギュレータ１１、１２に所定のスタンバイ信号ＳＴＢを出力する。このスタンバイ信号ＳＴＢは、内部回路１３のスタンバイ制御回路１３１から出力される。なお、このスタンバイ信号ＳＴＢは、レギュレータ１１にはインバータＩＮＶ１を介して入力され、レギュレータ１２にはそのまま入力される。
【００１４】
レベルシフタ１４には、第１、第２のレギュレータが出力する内部電源電圧および第２の電源端子ＶＤＤ２を介して外部電源電圧ＶＤＤが供給されている。レベルシフタ１４は、内部回路１３と入出力バッファ１５の間に接続される。レベルシフタ１４は、内部電源電圧レベルの出力信号を外部電源電圧レベルに変換して入出力バッファ１５へと出力する。また、外部電源電圧レベルの入力信号を内部電源電圧レベルの信号に変換して内部回路１３に出力する。
【００１５】
入出力バッファには、第２の電源端子ＶＤＤ２を介して外部電源電圧が供給されている。入出力バッファ１５は、外部回路３などに対して信号の入出力を行う。
【００１６】
図２は、マイコン１内に形成された第１、第２のレギュレータ１１、１２の構成を示す回路図である。この実施の形態１では第１、第２のレギュレータ１１、１２は、その電流供給能力や内部の設定値などが異なるのみであり、基本的なレギュレータとしての回路は同一である。
【００１７】
本実施の形態においては、第１のレギュレータ１１の方が第２のレギュレータ１２よりも電流供給能力が高く設定されている。そのため、第１のレギュレータ１１の方が第２のレギュレータ１２よりも消費電力も大きなものとなる。ただし、レギュレータの回路構成としては同一の回路構成であるため、図２を用いて実施の形態１の第１、第２のレギュレータ１１、１２について説明する。
【００１８】
実施の形態１のレギュレータ１１、１２は基準電源回路２１、誤差増幅器２２、Ｎ型電界効果トランジスタ（以下、ＮＭＯＳトランジスタと称す）Ｎ１、Ｎ２及び抵抗Ｒ１、Ｒ２を有する。
【００１９】
ＮＭＯＳトランジスタＮ１は外部電源電圧ＶＤＤとレギュレータの出力端子（図２では容量素子に接続される端子ＲＥＧＣとして示す）との間に接続されている。ＮＭＯＳトランジスタＮ１のゲートには誤差増幅器２２の出力が与えられている。抵抗Ｒ１、Ｒ２はレギュレータの出力端子と接地電圧ＧＮＤの間に直列に接続されている。抵抗Ｒ１とＲ２の間のノードの電圧が誤差増幅器２２の反転入力端子にフィードバックされている。
【００２０】
基準電源回路２１は、外部より与えられる外部電源電圧ＶＤＤから基準電圧Ｖｒｅｆを生成して出力する。この基準電圧Ｖｒｅｆは、誤差増幅器２２の非反転入力端子に接続される。
【００２１】
誤差増幅器２２は、基準電圧Ｖｒｅｆ及びフィードバックされた抵抗Ｒ１、Ｒ２間のノードの電圧の差を増幅し、ＮＭＯＳトランジスタＮ１のゲート電圧を制御する。ＮＭＯＳトランジスタＮ１のゲートの電圧が制御されることで、第１、第２のレギュレータは、その出力端子に第１、第２の所定電圧を出力する。
【００２２】
また本実施の形態では、図１に示したようにレギュレータ１１、１２にはイネーブル端子ＥＮが設けられている。イネーブル端子に入力された信号は、誤差増幅器２２に対してオン・オフを制御するための信号として与えられると共に、ＮＭＯＳトランジスタＮ１のゲートと接地電位の間に接続されたトランジスタＮ２のゲート電極にも与えられている。
【００２３】
本実施の形態では第１のレギュレータ１１には、スタンバイ信号ＳＴＢを反転させた信号／ＳＴＢがイネーブル端子ＥＮに入力されている。第２のレギュレータ１２には、スタンバイ信号ＳＴＢがイネーブル端子に入力されている。したがって、本実施の形態では、第１のレギュレータと第２のレギュレータは相補的にオン・オフ状態が切り替えられる構成となっている。
【００２４】
このように構成された本実施の形態のシステム及びマイコン１の動作について説明する。なお、図２に示した第１、第２のレギュレータでは、イネーブル端子ＥＮに入力される信号がＬレベルであれば誤差増幅器２２をオン状態とし、Ｈレベルであれば誤差増幅器２２をオフ状態とするような動作を行うものとする。また、図１に示すスイッチＳＷ１は、マイコン１の割り込み端子ＳＴに入力される制御信号によってその導通状態が制御され、以下の説明では割り込み端子に入力する信号がＨレベルであった場合に、ＳＷ１がオン状態とされるものとして説明する。
【００２５】
通常動作時、外部回路３は、割り込み端子ＳＴに対して例えばＨレベルの信号を出力している。外部回路３から割り込み端子ＳＴに出力される信号がＨレベルである場合、スタンバイ制御回路１３１はスタンバイ信号ＳＴＢとしてＨレベルの信号を出力する。
【００２６】
第１のレギュレータ１１のイネーブル端子ＥＮには、インバータＩＮＶ１を介してＬレベルの信号が入力される。そのため第１のレギュレータ１１の誤差増幅器２２はオン状態、ＮＭＯＳトランジスタＮ１はオフ状態となる。また、図１に示すスイッチＳＷ１もオン状態であるため、通常動作時、第１のレギュレータ１１が第１の所定電圧を内部回路１３に対して出力している。
【００２７】
通常動作時、第２のレギュレータ１２ではイネーブル端子にＨレベルの信号が入力されるため、誤差増幅器２２はオフ状態、ＮＭＯＳトランジスタＮ２がオン状態となる。ＮＭＯＳトランジスタＮ２がオンするため、ＮＭＯＳトランジスタＮ１のゲートにはＧＮＤレベルが与えられる。ＮＭＯＳトランジスタＮ１がオフ状態となるので、通常動作時は、第２の所定電圧は出力されない。
【００２８】
このように、通常動作時は、内部回路１３は、第１のレギュレータ１１が出力する第１の所定電圧に基づいて動作する。
【００２９】
一方、スタンバイ時、外部回路３は、割り込み端子ＳＴに対してＬレベルの制御信号を出力している。スタンバイ制御回路１３１は、例えばＨレベルからＬレベルへの遷移を検出してＬレベルのスタンバイ信号ＳＴＢを出力する。
【００３０】
割り込み端子ＳＴに対してＬレベルの信号が出力された場合、図１に示すスイッチＳＷ１は、オフ状態となり第１のレギュレータに対する外部電源電圧ＶＤＤの供給が停止される。また、第１のレギュレータのイネーブル端子ＥＮにはＬレベルの信号が供給され、第１のレギュレータの誤差増幅器２２はオフ状態、ＮＭＯＳトランジスタＮ２がオン状態となる。そのため第１のレギュレータ１１は出力端子に対して第１の所定電圧を出力することはない。
【００３１】
スタンバイ時、第２のレギュレータ１２のイネーブル端子ＥＮにはＬレベルの信号が入力され、第２のレギュレータ１２の誤差増幅器２２はオン状態、ＮＭＯＳトランジスタＮ２はオフ状態となる。第２のレギュレータは、誤差増幅器が動作することにより第２の所定電圧を出力端子に出力する。
【００３２】
このように、スタンバイ時、内部回路１３は、第２のレギュレータ１１が出力する第２の所定電圧に基づいて動作する。
【００３３】
本実施の形態では、通常動作時は内部回路１３内のＣＰＵおよびメモリ、その他の回路が動作する。内部回路１３で、ＣＰＵ及びメモリが動作する場合は、内部回路１３の消費電流も大きくなり、またその変動も大きくなる。そのため、本実施の形態ではマイコン１が通常動作を行う場合には、スタンバイ信号ＳＴＢに基づいて第１のレギュレータ１１を活性化、第２のレギュレータ１２を非活性化させている。
【００３４】
それに対し、スタンバイ時には内部回路１３においてＣＰＵなどは動作せず、例えばその直前の状態を保持するためのメモリのみが動作している。スタンバイ時は、内部回路１３における消費電流、およびその変動は小さくなる。そのため、スタンバイ時には、スタンバイ信号ＳＴＢに基づいて第２のレギュレータを活性化、第１のレギュレータを非活性化させている。
【００３５】
従来であれば、通常動作時、スタンバイ時に関係なく１つのレギュレータで生成した内部電源電圧を供給している。特許文献1のように、複数のレギュレータを有している場合でも、複数のレギュレータは常に動作し続けているため、マイコン１の動作状態に応じたレギュレータのオン・オフ状態の切替などは行われていなかった。
【００３６】
本実施の形態では、上記したように、第２のレギュレータ１２は、第１のレギュレータ１１に比して、その消費電力も小さく設計されている。そのため、マイコン１の動作状態にあわせて内部回路１３に内部電源電圧を供給するレギュレータを切り替えることで、スタンバイ時の消費電力をより一層低減することが可能である。
【００３７】
実施の形態２
図３は、本発明の実施の形態2に関わる電源回路およびマイコン1を示す概略図である。図３において図１と共通する構成については共通の符号を付し、その詳細な説明を省略する。実施の形態２では、第２のレギュレータの構成が実施の形態１の第２のレギュレータと異なっている。実施の形態２においては、第２のレギュレータ１２'が、イネーブル端子を有していない点が実施の形態１と異なっている。つまり、本実施の形態では第２のレギュレータ１２'は、図４に示すような、基準電圧回路４１、誤差増幅器４２、ＮＭＯＳトランジスタＮ４１、抵抗Ｒ４１、Ｒ４２を有する構成となっている。
【００３８】
図４に示したレギュレータで、図２に示したレギュレータと異なる点は、図２に示したレギュレータのＮＭＯＳトランジスタＮ２が、削除されている。また、誤差増幅器４２に対して、スタンバイ信号ＳＴＢに基づいた信号が入力されていない点が異なっている。また、本実施の形態では第１のレギュレータの出力する第１の所定電圧は、第２のレギュレータの出力する第２の所定電圧よりも大きく設定される。つまり、図３における第１のレギュレータ１１を図２の回路で構成し、第２のレギュレータ１２'を図４に示す回路で構成した場合、図２のＲ１、Ｒ２と図４のＲ４１，Ｒ４２の関係は以下のようになる。
Ｒ１／Ｒ２＜Ｒ４１／Ｒ４２
【００３９】
このように構成された実施の形態２のシステムの動作について説明する。通常動作時、外部回路３は、割り込み端子ＳＴに対して例えばＨレベルの信号を出力し、第１のレギュレータ１１が第１の所定電圧を内部回路１３に対して出力している点は、実施の形態１と同様である。
【００４０】
通常動作時、第２のレギュレータ１２では誤差増幅器４２は動作している。しかし、第２のレギュレータの出力端子が接続されるノードＱには、第１のレギュレータの出力する所定電圧が与えられているため、図４に示すＮＭＯＳトランジスタＮ４１のゲート・ソース間にはＮＭＯＳトランジスタＮ４１がオン状態となるためのしきい値電圧は与えられない。そのため、通常動作時は、第２のレギュレータの出力がオフ状態となる。
【００４１】
したがって、通常動作時は、内部回路１３は、第１のレギュレータ１１が出力する第１の所定電圧に基づいて動作する。
【００４２】
スタンバイ時、外部回路３は、割り込み端子ＳＴに対してＬレベルの制御信号を出力し、第１のレギュレータがオフ状態となる点は、第２の実施形態と同様である。スタンバイ時、第２のレギュレータは、第１のレギュレータがオフ状態となり第２のレギュレータの出力端子と、誤差増幅器４２の出力電圧がＮＭＯＳトランジスタＮ４２のしきい値以上となった場合に、直ちに第２の所定電圧を出力する。
【００４３】
従って、スタンバイ時、内部回路１３は、第２のレギュレータ１１が出力する第２の所定電圧に基づいて動作する。
【００４４】
実施の形態１では、第１のレギュレータと第２のレギュレータが相補的にオン状態、オフ状態を繰り返している。この場合、レギュレータが切り替わった瞬間はレギュレータの出力が安定するまで内部電源電圧が不安定になってしまう場合がある。本実施の形態では第２のレギュレータが常に動作し、第１のレギュレータがオフ状態となった場合に内部回路１３に対して、直ちに第２の所定電圧を出力するので内部回路に対する電源電圧が不安定になってしまうことはない。
【００４５】
また、スタンバイ時は消費電力の小さな第２のレギュレータが動作しているのみなので、スタンバイ時の消費電力を小さくすることが可能となる。
【００４６】
実施の形態３
図４は、本発明の実施の形態３に関わる電源回路およびマイコン1を示す概略図である。図４において図１と共通する構成については共通の符号を付し、その詳細な説明を省略する。実施の形態３では、実施の形態1、２で第1のレギュレータに対して外部から電源を遮断していたスイッチＳＷ１に相当するＰＭＯＳトランジスタＰ１をマイコン１内に設けている。
【００４７】
ＰＭＯＳトランジスタＰ１は、外部電源入力端子ＶＤＤ２と第１のレギュレータの電源端子の間に接続されている。通常動作時、外部回路３からは、Ｈレベルの信号が入力されている。スタンバイ制御回路１３１は、Ｈレベルのスタンバイ信号ＳＴＢを出力している。ＰＭＯＳトランジスタＰ１には、Ｈレベルのスタンバイ信号ＳＴＢに基づいてレベルシフタ１４、入出力バッファ１５を介して外部電源レベルでＬレベルの信号がゲートに与えられる。したがってＰＭＯＳトランジスタＰ１は、オン状態となり第１のレギュレータに外部電源電圧を供給する。スタンバイ時は、外部回路３からは、Ｌレベルの信号が入力されている。スタンバイ制御回路１３１は、Ｌレベルのスタンバイ信号ＳＴＢを出力している。ＰＭＯＳトランジスタＰ１には、Ｌレベルのスタンバイ信号ＳＴＢに基づいてレベルシフタ１４、入出力バッファ１５を介して外部電源レベルでＨレベルの信号がゲートに与えられる。したがってＰＭＯＳトランジスタＰ１は、オフ状態となる。このＰＭＯＳトランジスタＰ１により外部電源を第１のレギュレータ１１に供給する動作以外は、第１の実施の形態と同一であるため、詳細な説明を省略する。
【００４８】
なお、本実施の形態では、スタンバイ制御回路１３１において、異なるタイミングの第１、第２のスタンバイ信号ＳＴＢ１、ＳＴＢ２を出力することなども可能である。例えば、第１のスタンバイ信号ＳＴＢで、第１のレギュレータをオフ状態として、第２のレギュレータを動作開始させた後に、第２のレギュレータ動作が安定した時点で、第２のスタンバイ信号ＳＴＢ２を出力することなども可能である。このように構成すれば、第２のスタンバイ信号ＳＴＢ２のタイミングにあわせて内部回路１３がスタンバイ動作に入ることにより、回路動作をより安定させることが可能である。
【００４９】
以上、本発明の実施の形態に基づいて詳細に説明したが、本発明は本実施の形態に限られず種々の変形が可能である。例えば、実施の形態１では第１のレギュレータが第１の所定電圧を出力し、第２のレギュレータが第２の所定電圧を出力するものとして説明したが、第１、第２の所定電圧は同一の電圧でもよく、第１、第２のレギュレータはその電流供給能力が異なるのみでもよい。また、２以上のレギュレータを用いて本発明を実施してもよく、各実施の形態の内容を適宜組み合わせて私用するような構成でもよい。本発明は、本発明の主旨を逸脱しない限り、当業者において、適宜変形が可能である。
【図面の簡単な説明】
【００５０】
【図１】図１は、本発明の実施の形態１に関わるマイコン、マイコンを有するシステムの構成を示す図である
【図２】図２は、レギュレータの構成を示す図である。
【図３】図３は、本発明の実施の形態２に関わるマイコン、マイコンを有するシステムの構成を示す図である
【図４】図４は、第２のレギュレータの構成を示す図である。
【図５】図５は、本発明の実施の形態３に関わるマイコン、マイコンを有するシステムの構成を示す図である
【符号の説明】
【００５１】
１    マイクロコントローラ
２    外部電源
３    外部回路
１１、１２    レギュレータ
１３    内部回路
１４    レベルシフタ
１５    入出力バッファ
１３１    スタンバイ制御回路
２１、４１    基準電圧回路
２２、４２    誤差増幅器
Ｎ１、Ｎ２    ＮＭＯＳトランジスタ
Ｐ１    ＰＭＯＳトランジスタ
Ｒ１、Ｒ２、Ｒ４１、Ｒ４２    抵抗
【図１】
2008015719.tif 000003
【図２】
2008015719.tif 000004
【図３】
2008015719.tif 000005
【図４】
2008015719.tif 000006
【図５】
2008015719.tif 000007